(57)【要約】【課題】シール部材と前記シール部材への接触部品との空気タイトを確実にするとともに前記接触部品の着脱性を軽くし、外観性も損なうことがない安価な電気掃除機を提供することを目的とする。【解決手段】吸気口２０を有する集塵部１８、前記集塵部１８内に装着され、集塵口１５ａを有する口芯１５と前記口芯１５に設けられた紙袋１４とからなる集塵袋、前記集塵口１５の周囲に接触するとともに前記吸気口２０に設けられた天然ゴムなどから成るシール部材１２とを備え、前記シール部材１２にハロゲン処理を施したもので、口芯１５とシール部材１２との空気タイトを確実にするとともに、前記口芯１５の着脱性を軽くし、外観性も損なうことがない安価な電気掃除機を提供できる。【選択図】図２
2005204692.tif 000002
【特許請求の範囲】
【請求項１】
吸気口を有する集塵部、前記集塵部内に装着され、集塵口を有する口芯と前記口芯に設けられた紙袋とからなる集塵袋、前記集塵口の周囲に接触するとともに前記吸気口に設けられた天然ゴムなどから成るシール部材とを備え、前記逆止弁にハロゲン処理を施した電気掃除機。
【請求項２】
塵埃を吸引する吸込具と、一端が前記吸込具に連通し、他端がシール部材に挿入される接続パイプとを備え、前記シール部材の前記接続パイプが接触する部分にハロゲン処理を施した請求項１記載の電気掃除機。
【請求項３】
シール部材の口芯が接触する部分にハロゲン処理を施した請求項１記載の電気掃除機。
【請求項４】
シール部材の表面全体にハロゲン処理を施した請求項１記載の電気掃除機。
【発明の詳細な説明】
【技術分野】
【０００１】
本発明は、塵埃を捕集する紙袋と前記紙袋を装着する集塵部との気密性を保つためのシール部材を有する電気掃除機に関するものである。
【背景技術】
【０００２】
一般に、電気掃除機には、塵埃を捕集する紙袋と前記紙袋を装着する集塵部との気密性を保つためのシール部材が設けられている（例えば、特許文献１参照）。
【特許文献１】特開平１−１３５３２２号公報
【発明の開示】
【発明が解決しようとする課題】
【０００３】
しかしながら、従来の天然ゴムなどからなるシール部材は、接続パイプとの空気タイト及び紙袋と集塵部との空気タイトを行うため、ある程度圧接状態を保っていた。そのため、シール部材と接続パイプまたは紙袋と集塵部との摩擦抵抗が高くなり、接続パイプあるいは紙袋などの集塵部との着脱性に不具合が生じていた。
【０００４】
そこで、従来は、天然ゴムなどからなるシール部材の表面にシリコンオイルや、炭酸カルシュームなどを塗布することですべり性を良くしていた。しかしながらシリコンオイルが他の部分に流れ出したり、炭酸カルシウムの粉が、シール部材の回りから集塵部に付着し外観性を損なうとともに、高価なものになっていた。
【０００５】
本発明は、前記従来の課題を解決するもので、シール部材と前記シール部材への接触部品との空気タイトを確実にするとともに前記接触部品の着脱性を軽くし、外観性も損なうことがない安価な電気掃除機を提供することを目的とする。
【課題を解決するための手段】
【０００６】
前記従来の課題を解決するために本発明は、吸気口を有する集塵部、前記集塵部内に装着され、集塵口を有する口芯と前記口芯に設けられた紙袋とからなる集塵袋、前記集塵口の周囲に接触するとともに前記吸気口に設けられた天然ゴムなどから成るシール部材とを備え、前記シール部材にハロゲン処理を施したもので、前記口芯とシール部材との空気タイトを確実にするとともに、前記口芯の着脱性を軽くし、外観性も損なうことがない安価な電気掃除機を提供できる。
【発明の効果】
【０００７】
本発明によれば、シール部材と前記シール部材への接触部品の空気タイトを確実にするとともに前記接触部品の着脱性を軽くし、外観性も損なうことがない安価な電気掃除機を提供できる。
【発明を実施するための最良の形態】
【０００８】
第１の発明は、吸気口を有する集塵部、前記集塵部内に装着され、集塵口を有する口芯と前記口芯に設けられた紙袋とからなる集塵袋、前記集塵口の周囲に接触するとともに前記吸気口に設けられた天然ゴムなどから成るシール部材とを備え、前記シール部材にハロゲン処理を施したもので、前記口芯とシール部材との空気タイトを確実にするとともに、前記口芯の着脱性を軽くし、外観性も損なうことがない安価な電気掃除機を提供できる。
【０００９】
第２の発明は、塵埃を吸引する吸込具と、一端が前記吸込具に連通し、他端がシール部材に挿入される接続パイプとを備え、前記シール部材の前記接続パイプが接触する部分にハロゲン処理を施したもので、接続パイプとシール部材との空気タイトを確実にするとともに接続パイプの着脱性を軽くし、外観性も損なうことがない安価な電気掃除機を提供できる。
【００１０】
第３の発明は、シール部材の口芯が接触する部分にハロゲン処理を施したもので、塵埃を捕集する紙袋とシール部材との空気タイトを確実にするとともに紙袋の着脱性を軽くし、外観性も損なうことがない安価な電気掃除機を提供できる。
【００１１】
第４の発明は、シール部材の表面全体にハロゲン処理を施したもので、接続パイプとシール部材との空気タイトや塵埃を捕集する紙袋とシール部材との空気タイトを確実にするとともに接続パイプや紙袋の着脱性を軽くし、外観性も損なうことがない安価な電気掃除機を提供できる。
【００１２】
以下、本発明の実施の形態について、図面を参照しながら説明する。なお、この実施の形態によって本発明が限定されるものではない。
【００１３】
（実施の形態１）
図１は、掃除機本体にホースなどのアタッチメントが接続された全体図で、図２は、掃除機本体の部分断面図を示すものである。
【００１４】
図において、１は吸込具、２は延長管、３はホースで一端に先端パイプ４と、接続パイプ５を取り付けている。６は掃除機本体下で、７は掃除機本体の上カバーである。８は紙袋を取り出すための集塵部蓋である。９は前輪、１０は後輪である。１１はフロントカバーで本体下６とにより天然ゴムなどからなるシール部材である逆止弁１２を狭持している。また、掃除機本体には、前記接続パイプ５が挿入され、前記逆止弁１２が設けられる吸気口２０が設けられている。
【００１５】
逆止弁１２は、一体に接続パイプ５と空気タイトするためのリップ１３と、吸引した塵埃を捕集する紙袋１４に一体に取り付けられた口芯１５が有する集塵口１５ａと空気タイトするための筒部１６とを有してしている。１７は口芯を集塵部１８に取り付けるための回動自在な止め具である。１９は電動送風機である。
【００１６】
最初にホース３の一端に設けられ、前記吸込具１に連通する接続パイプ５と逆止弁１２との空気タイトや、口芯１５と逆止弁１２との空気タイトをする目的で設けられた天然ゴムなどから成る逆止弁１２の表面全体に、ハロゲン処理を行ったものについて説明する。
【００１７】
逆止弁１２の外表面の全体を塩酸で洗うなどして、表面のスキン層を固くするためのハロゲン処理を行うことにより、逆止弁１２表面全体の、すべり性が向上し、接続パイプ５や口芯１５と逆止弁１２との空気タイトを確実にするとともに、接続パイプ５や口芯１５の着脱性をも軽くし、外観性も損なうことがない安価な電気掃除機を提供することができる。
【００１８】
次に、逆止弁１２と接続パイプ５が接触するリップ１３部分にハロゲン処理を行ったものを説明する。逆止弁１２のリップ１３部分にハロゲン処理を行うことで、接続パイプ５との空気タイトを確実にするとともに、接続パイプ５の着脱性をも軽くし、外観性も損なうことがない安価な電気掃除機を提供できる。
【００１９】
次に、逆止弁１２と口芯１５が接触する筒部１６部分にハロゲン処理を行ったものを説明する。逆止弁１２と口芯１５が接触する筒部１６部分にハロゲン処理を行ったもので、紙袋１４が有する口芯１５と逆止弁１２との空気タイトを確実にするとともに、外観性も損なうことがなく、口芯１５の着脱性をも軽くし、安価な電気掃除機を提供できる。
【００２０】
なお、上記実施の形態は、本発明を実施する上での一例を示したものであって、各部の具体的な構成はこれに限定されるものではなく、本発明の目的を達成するものであればどの様に変更しても良いものである。
【産業上の利用可能性】
【００２１】
以上のように、本発明にかかる電気掃除機は、ホースの一端に設けられた接続パイプと紙袋などの集塵部とを空気タイトする目的で設けられた天然ゴムなどから成る逆止弁の表面全体にハロゲン処理を行ったことを特徴とするもので、一般家庭用の電気掃除機に特に有用である。
【図面の簡単な説明】
【００２２】
【図１】本発明の実施の形態１における電気掃除機の全体図
【図２】同掃除機本体の一部断面図
【符号の説明】
【００２３】
５  接続パイプ
１２  逆止弁（シール部材）
１４  紙袋
１５  口芯
１５ａ  集塵口
１８  集塵部
２０  吸気口
【図１】
2005204692.tif 000003
【図２】
2005204692.tif 000004